(57)【特許請求の範囲】
【請求項１】
下記を具備する、ワイヤレス通信の方法：
ユーザ機器が、複数の基地局から複数の信号を受信すること；
前記ユーザ機器が、前記複数の基地局から受信された複数の信号間の少なくとも１つの同期パラメータを測定すること；
前記ユーザ機器が、前記少なくとも１つの同期パラメータに関する情報と共に、前記複数の基地局のうちの少なくとも１つに信号を送信すること、
前記ユーザ機器が、前記複数の基地局のうちの少なくとも１つから調整された信号を受信すること、ここにおいて、前記調整された信号は、前記ユーザ機器において測定された前記少なくとも１つの同期パラメータにおけるオフセットを低減させるように調整されている、
ここにおいて、前記少なくとも１つの同期パラメータは、前記複数の基地局から受信された複数の信号間の到着の時間差および周波数オフセットの両方を含む。
【請求項２】
下記をさらに具備する、請求項１に記載の方法：
前記ユーザ機器が、前記複数の基地局から受信された複数の信号間の前記少なくとも１つの測定された同期パラメータにおけるオフセットを決定すること；および
前記ユーザ機器が、前記決定されたオフセットが閾値よりも高いか否かを決定すること、ここにおいて、前記同期パラメータに関する情報を備えた前記信号は、前記決定されたオフセットが前記閾値よりも高い場合にのみ、前記複数の基地局のうちの前記少なくとも１つに送信される。
【請求項３】
前記複数の基地局は、サービング基地局および隣接基地局を含み、ここにおいて、前記ユーザ機器が前記複数の基地局のうちの少なくとも１つへ前記信号を前記送信することは、前記同期パラメータに関する情報と共に、前記サービング基地局に前記信号を送信することを含む、請求項１に記載の方法。
【請求項４】
前記複数の基地局は、サービング基地局および隣接基地局を含み、ここにおいて、前記ユーザ機器が前記複数の基地局のうちの少なくとも１つに前記信号を前記送信することは、前記同期パラメータに関する情報と共に前記隣接基地局に前記信号を送信することを含む、請求項１に記載の方法。
【請求項５】
前記方法はさらに下記を具備する、請求項１に記載の方法：
前記ユーザ機器が、前記ユーザ機器において、前記複数の基地局のうちの１つが信号をそこから送信する時間インスタンスにおいて前記信号を推定すること；および
前記ユーザ機器が、前記推定された信号を報告すること。
【請求項６】
下記を具備する、ワイヤレス通信のための装置：
複数の基地局から複数の信号を受信するための手段；
前記複数の基地局から受信された複数の信号間の少なくとも１つの同期パラメータを測定するための手段；
前記少なくとも１つの同期パラメータに関する情報と共に、前記複数の基地局のうちの少なくとも１つに信号を送信するための手段、
前記複数の基地局のうちの少なくとも１つから調整された信号を受信するための手段、ここにおいて、前記調整された信号は、前記ユーザ機器において測定された前記少なくとも１つの同期パラメータにおけるオフセットを低減させるように調整されている、
ここにおいて、前記少なくとも１つの同期パラメータは、前記複数の基地局から受信された複数の信号間の到着の時間差および周波数オフセットの両方を含む。
【請求項７】
下記をさらに具備する、請求項６に記載の装置：
前記複数の基地局から受信された複数の信号間の前記少なくとも１つの測定された同期パラメータにおけるオフセットを決定するための手段；および
前記決定されたオフセットが閾値よりも高いか否かを決定するための手段、ここにおいて、前記同期パラメータに関する情報を備えた前記信号は、前記決定されたオフセットが前記閾値よりも高い場合にのみ、前記複数の基地局のうちの前記少なくとも１つに送信される。
【請求項８】
前記複数の基地局は、サービング基地局および隣接基地局を含み、ここにおいて、前記複数の基地局のうちの少なくとも１つに前記信号を送信するための前記手段は、前記同期パラメータに関する情報と共に、前記サービング基地局に前記信号を送信する、請求項６に記載の装置。
【請求項９】
前記複数の基地局は、サービング基地局および隣接基地局を含み、ここにおいて、前記複数の基地局のうちの少なくとも１つに前記信号を送信するための前記手段は、前記同期パラメータに関する情報と共に、前記隣接基地局に前記信号を送信する、請求項６に記載の装置。
【請求項１０】
前記装置はさらに下記を具備する、請求項６に記載の装置：
前記ユーザ機器において、前記複数の基地局のうちの１つが信号をそこから送信する時間インスタンスにおいて前記信号を推定するための手段；および
前記推定された信号を報告するための手段。
【請求項１１】
ユーザ機器に下記を実行させるためのコードを備えたコンピュータ可読記憶媒体：
複数の基地局から複数の信号を受信すること；
前記複数の基地局から受信された複数の信号間の少なくとも１つの同期パラメータを測定すること；
前記少なくとも１つの同期パラメータに関する情報と共に、前記複数の基地局のうちの少なくとも１つに信号を送信すること、
前記複数の基地局のうちの少なくとも１つから調整された信号を受信すること、ここにおいて、前記調整された信号は、前記ユーザ機器において測定された前記少なくとも１つの同期パラメータにおけるオフセットを低減させるように調整されている、
ここにおいて、前記少なくとも１つの同期パラメータは、前記複数の基地局から受信された複数の信号間の到着の時間差および周波数オフセットの両方を含む。
【請求項１２】
前記コンピュータ可読記憶媒体は、前記ユーザ機器に下記を実行させるためのコードをさらに具備する、請求項１１に記載のコンピュータ可読記憶媒体：
前記複数の基地局から受信された複数の信号間の前記少なくとも１つの測定された同期パラメータにおけるオフセットを決定すること；および
前記決定されたオフセットが閾値よりも高いか否かを決定すること、ここにおいて、前記同期パラメータに関する情報を備えた前記信号は、前記決定されたオフセットが前記閾値よりも高い場合にのみ、前記複数の基地局のうちの前記少なくとも１つに送信される。
【請求項１３】
前記複数の基地局は、サービング基地局および隣接基地局を含み、ここにおいて、前記ユーザ機器に前記複数の基地局のうちの少なくとも１つに前記信号を送信させるための前記コードは、前記同期パラメータに関する情報と共に、前記サービング基地局に前記信号を送信する、請求項１１に記載のコンピュータ可読記憶媒体。
【請求項１４】
前記複数の基地局は、サービング基地局および隣接基地局を含み、ここにおいて、前記ユーザ機器に前記複数の基地局のうちの少なくとも１つに前記信号を送信させるための前記コードは、前記同期パラメータに関する情報と共に、前記隣接基地局に前記信号を送信する、請求項１１に記載のコンピュータ可読記憶媒体。
【請求項１５】
前記コンピュータ可読記憶媒体は、前記ユーザ機器に下記を実行させるためのコードをさらに具備する、請求項１１に記載のコンピュータ可読記憶媒体：
前記ユーザ機器において、前記複数の基地局のうちの１つが信号をそこから送信する時間インスタンスにおいて前記信号を推定すること；および
前記推定された信号を報告すること。
【請求項１６】
下記を実行するように構成された処理システムを具備する、ワイヤレス通信のための装置：
複数の基地局から複数の信号を受信する；
前記複数の基地局から受信された複数の信号間の少なくとも１つの同期パラメータを測定する；
前記少なくとも１つの同期パラメータに関する情報と共に、前記複数の基地局のうちの少なくとも１つに信号を送信する、
前記複数の基地局のうちの少なくとも１つから調整された信号を受信する、ここにおいて、前記調整された信号は、前記ユーザ機器において測定された前記少なくとも１つの同期パラメータにおけるオフセットを低減させるように調整されている、
ここにおいて、前記少なくとも１つの同期パラメータは、前記複数の基地局から受信された複数の信号間の到着の時間差および周波数オフセットの両方を含む。
【請求項１７】
前記処理システムは、下記を実行するようにさらに構成される、請求項１６に記載の装置：
前記複数の基地局から受信された複数の信号間の前記少なくとも１つの測定された同期パラメータにおけるオフセットを決定する；および
前記決定されたオフセットが閾値よりも高いか否かを決定する、ここにおいて、前記同期パラメータに関する情報を備えた前記信号は、前記決定されたオフセットが前記閾値よりも高い場合にのみ、前記複数の基地局のうちの前記少なくとも１つに送信される。
【請求項１８】
前記複数の基地局は、サービング基地局および隣接基地局を含み、ここにおいて、前記複数の基地局のうちの少なくとも１つに前記信号を送信するために、前記処理システムは、前記同期パラメータに関する情報と共に、前記サービング基地局に前記信号を送信するように構成される、請求項１６に記載の装置。
【請求項１９】
前記複数の基地局は、サービング基地局および隣接基地局を含み、ここにおいて、前記複数の基地局のうちの少なくとも１つに前記信号を送信するために、前記処理システムは、前記同期パラメータに関する情報と共に、前記隣接基地局に前記信号を送信するように構成される、請求項１６に記載の装置。
【請求項２０】
前記処理システムは、前記ユーザ機器において、前記複数の基地局のうちの１つが信号をそこから送信する時間インスタンスにおいて前記信号を推定し、前記推定された信号を報告するようにさらに構成される、請求項１６に記載の装置。
【請求項２１】
下記を具備する、ワイヤレス通信の方法：
基地局が、前記基地局からユーザ機器に信号を送信すること；
前記基地局が、前記基地局と少なくとも１つの他の基地局との間の少なくとも１つの同期パラメータにおけるオフセットに関する情報と共に、前記ユーザ機器から信号を受信すること；
前記基地局が、前記基地局と前記少なくとも１つの他の基地局との間の前記受信された少なくとも１つの同期パラメータにおけるオフセットを決定すること；および
前記基地局が、前記決定されたオフセットに基づいて前記基地局において送信波形を調整すること、
ここにおいて、前記少なくとも１つの同期パラメータは、前記ユーザ機器において受信された複数の信号間の到着の時間差および周波数オフセットの両方を含む。
【請求項２２】
さらに下記を具備する、請求項２１に記載の方法：
前記基地局が、前記基地局から複数のユーザ機器に信号を送信すること；
前記基地局が、前記基地局と少なくとも１つの他の基地局との間の少なくとも１つの同期パラメータに関する情報と共に、前記複数のユーザ機器の各々から信号を受信すること；
前記基地局が、前記複数のユーザ機器の各々から受信された前記少なくとも１つの同期パラメータにおける平均オフセットを決定すること；および
前記基地局が、前記決定された平均オフセットに基づいて、前記基地局において前記送信波形を調整すること。
【請求項２３】
さらに下記を具備する、請求項２１に記載の方法：
前記基地局が、前記決定されたオフセットが閾値よりも高いか否かを決定すること；および
前記基地局が、前記決定されたオフセットが前記閾値よりも高いときにのみ、前記基地局において送信波形を調整すること。
【請求項２４】
前記基地局が前記決定されたオフセットに基づいて前記基地局において前記送信波形を調整することは、前記決定されたオフセットに基づいて前記基地局について送信周波数を調整することを含む、請求項２１に記載の方法。
【請求項２５】
前記基地局が前記決定されたオフセットに基づいて前記基地局において前記送信波形を調整することは、前記基地局について前記送信時間を調整することおよび前記基地局において位相ランプを適用することのうちの１つを含む、請求項２１に記載の方法。
【請求項２６】
下記を具備する、ワイヤレス通信のための装置：
基地局からユーザ機器に信号を送信するための手段；
前記基地局と少なくとも１つの他の基地局との間の少なくとも１つの同期パラメータにおけるオフセットに関する情報と共に、前記ユーザ機器から信号を受信するための手段；
前記基地局と前記少なくとも１つの他の基地局との間の前記受信された少なくとも１つの同期パラメータにおけるオフセットを決定するための手段；および
前記決定されたオフセットに基づいて前記基地局において送信波形を調整するための手段、
ここにおいて、前記少なくとも１つの同期パラメータは、前記ユーザ機器において受信された複数の信号間の到着の時間差および周波数オフセットの両方を含む。
【請求項２７】
下記をさらに具備する、請求項２６に記載の装置：
前記基地局から複数のユーザ機器に信号を送信するための手段；
前記基地局と少なくとも１つの他の基地局との間の少なくとも１つの同期パラメータに関する情報と共に、前記複数のユーザ機器の各々から信号を受信するための手段；
前記複数のユーザ機器から受信された前記少なくとも１つの同期パラメータにおける平均オフセットを決定するための手段；および
前記決定された平均オフセットに基づいて前記基地局において前記送信波形を調整するための手段。
【請求項２８】
さらに下記を具備する、請求項２６に記載の装置：
前記決定されたオフセットが閾値よりも高いか否かを決定するための手段；および
前記決定されたオフセットが前記閾値よりも高いときにのみ、前記基地局において送信波形を調整するための手段。
【請求項２９】
前記決定されたオフセットに基づいて前記基地局において前記送信波形を調整するための前記手段は、前記決定されたオフセットに基づいて前記基地局について送信周波数を調整する、請求項２６に記載の装置。
【請求項３０】
前記決定されたオフセットに基づいて前記基地局において前記送信波形を調整するための前記手段は、前記基地局について前記送信時間を調整するための手段および前記基地局において位相ランプを適用するための手段のうちの１つを含む、請求項２６に記載の装置。
【請求項３１】
基地局に下記を実行させるためのコードを備えたコンピュータ可読記憶媒体：
前記基地局からユーザ機器に信号を送信すること；
前記基地局と少なくとも１つの他の基地局との間の少なくとも１つの同期パラメータにおけるオフセットに関する情報と共に、前記ユーザ機器から信号を受信すること；
前記基地局と前記少なくとも１つの他の基地局との間の前記受信された少なくとも１つの同期パラメータにおけるオフセットを決定すること；および
前記決定されたオフセットに基づいて前記基地局において送信波形を調整すること、
ここにおいて、前記少なくとも１つの同期パラメータは、前記ユーザ機器において受信された複数の信号間の到着の時間差および周波数オフセットの両方を含む。
【請求項３２】
前記コンピュータ可読記憶媒体は、前記基地局に下記を実行させるためのコードをさらに具備する、請求項３１に記載のコンピュータ可読記憶媒体：
前記基地局から複数のユーザ機器に信号を送信すること；
前記基地局と少なくとも１つの他の基地局との間の少なくとも１つの同期パラメータに関する情報と共に、前記複数のユーザ機器の各々から信号を受信すること；
前記複数のユーザ機器から受信された前記少なくとも１つの同期パラメータにおける平均オフセットを決定すること；および
前記決定された平均オフセットに基づいて前記基地局において前記送信波形を調整すること。
【請求項３３】
前記コンピュータ可読記憶媒体は、前記基地局に下記を実行させるためのコードをさらに具備する、請求項３１に記載のコンピュータ可読記憶媒体：
前記決定されたオフセットが閾値よりも高いか否かを決定すること；および
前記決定されたオフセットが前記閾値よりも高いときにのみ、前記基地局において送信波形を調整すること。
【請求項３４】
前記基地局に前記決定されたオフセットに基づいて前記基地局において前記送信波形を調整させるための前記コードは、前記決定されたオフセットに基づいて前記基地局について送信周波数を調整する、請求項３１に記載のコンピュータ可読記憶媒体。
【請求項３５】
前記基地局に前記決定されたオフセットに基づいて前記基地局において前記送信波形を調整させるための前記コードは、前記基地局について前記送信時間を調整するためのコードおよび前記基地局において位相ランプを適用するためのコードのうちの１つを含む、請求項３１に記載のコンピュータ可読記憶媒体。
【請求項３６】
下記を実行するように構成された処理システムを具備する、ワイヤレス通信のための装置：
基地局からユーザ機器に信号を送信する；
前記基地局と少なくとも１つの他の基地局との間の少なくとも１つの同期パラメータにおけるオフセットに関する情報と共に、前記ユーザ機器から信号を受信する；
前記基地局と前記少なくとも１つの他の基地局との間の前記受信された少なくとも１つの同期パラメータにおけるオフセットを決定する；および
前記決定されたオフセットに基づいて前記基地局において送信波形を調整する、
ここにおいて、前記少なくとも１つの同期パラメータは、前記ユーザ機器において受信された複数の信号間の到着の時間差および周波数オフセットの両方を含む。
【請求項３７】
前記処理システムは、下記を実行するようにさらに構成される、請求項３６に記載の装置：
前記基地局から複数のユーザ機器に信号を送信する；
前記基地局と少なくとも１つの他の基地局との間の少なくとも１つの同期パラメータに関する情報と共に、前記複数のユーザ機器の各々から信号を受信する；
前記複数のユーザ機器から受信された前記少なくとも１つの同期パラメータにおける平均オフセットを決定する；および
前記決定された平均オフセットに基づいて前記基地局において前記送信波形を調整する。
【請求項３８】
前記処理システムは、下記を実行するようにさらに構成される、請求項３６に記載の装置：
前記決定されたオフセットが閾値よりも高いか否かを決定する；および
前記決定されたオフセットが前記閾値よりも高いときにのみ、前記基地局において送信波形を調整する。
【請求項３９】
前記決定されたオフセットに基づいて、前記基地局において前記送信波形を調整するために、前記処理システムは、前記決定されたオフセットに基づいて前記基地局について送信周波数を調整するように構成される、請求項３６に記載の装置。
【請求項４０】
前記決定されたオフセットに基づいて前記基地局において前記送信波形を調整するために、前記処理システムは、前記基地局について前記送信時間を調整することおよび前記基地局において位相ランプを適用することのうちの１つを実行するように構成される、請求項３６に記載の装置。
【発明の詳細な説明】
【関連出願の相互参照】
【０００１】
本願は、それらの内容の全体がここに参考として組み込まれる、米国特許仮出願第６１／１８０，７３８号（２００９年５月２２日出願、名称「ワイヤレス通信における共同処理のためのシステムおよび方法」“SYSTEMS AND METHODS FOR JOINT PROCESSING IN A WIRELESS COMMUNICATION”）および米国特許仮出願第６１／１８１，５８０号（２００９年５月２７日出願、名称「ワイヤレス通信における共同処理のためのシステムおよび方法」“SYSTEMS AND METHODS FOR JOINT PROCESSING IN A WIRELESS COMMUNICATION”）の利益を主張するものである。
【技術分野】
【０００２】
本開示は、一般に、通信システムに関し、より詳細には、ワイヤレス通信における共同処理のためのシステムおよび方法に関する。
【背景技術】
【０００３】
ワイヤレス通信システムは、電話技術（telephony）、ビデオ、データ、メッセージング、およびブロードキャストなどの様々な電気通信サービスを提供するために幅広く展開されている。典型的なワイヤレス通信システムは、利用可能なシステム・リソース（例えば、帯域幅、送信パワー）を共有することにより、マルチプル（multiple）のユーザとの通信をサポートすることが可能な多元接続技術を使用することができる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ：time division synchronous code division multiple access）システムを含む。
【０００４】
これらの多元接続技術は、種々のワイヤレス・デバイスが都市、国家、地域、および地球全体までものレベルで通信することを可能にする共通プロトコルを提供するために、様々な電気通信規格において採用されてきた。新興（emerging)の電気通信規格の一例が、ロング・ターム・エボリューション（ＬＴＥ：Long Term Evolution）である。ＬＴＥは、第３世代パートナシップ・プロジェクト（３ＧＰＰ）によって公表された、ユニバーサル・モバイル・テレコミュニケーション・システム（ＵＭＴＳ）モバイル規格への拡張のセットである。これは、スペクトル効率を改善することによってモバイル・ブロードバンド・インターネット・アクセスをより良くサポートし、コストを下げ、サービスを改善し、新しいスペクトルを利用し、また、ダウンリンク（ＤＬ）上のＯＦＤＭＡ、アップリンク（ＵＬ）上のＳＣ−ＦＤＭＡ、および多入力多出力（ＭＩＭＯ）アンテナ技術を使用して他のオープン規格とより良く統合するように設計されている。しかしながら、モバイル・ブロードバンド・アクセスの需要が増大し続けるにつれて、ＬＴＥ技術におけるさらなる改良の必要性が存在する。好ましくは、これらの改良は、他のマルチアクセス（multi-access）技術およびこれらの技術を使用する電気通信規格に適用可能であるべきである。
【発明の概要】
【０００５】
本開示の一態様では、信号が複数の基地局から受信され、該複数の基地局間の少なくとも１つの同期パラメータの測定が行なわれる、方法、装置、およびコンピュータプログラムプロダクトが提供される。さらに、信号は、少なくとも１つの同期パラメータに関する情報と共に、複数の基地局のうちの少なくとも１つへ送信される。
【０００６】
本開示の一態様では、基地局が、ユーザ機器に信号を送信し、該基地局と少なくとも１つの他の基地局との間の少なくとも１つの同期パラメータに関する情報と共に、ユーザ機器から信号を受信する、方法、装置、およびコンピュータプログラムプロダクトが提供される。さらに、オフセットが、該基地局と少なくとも１つの他の基地局との間の受信された少なくとも１つの同期パラメータにおいて決定され、決定されたオフセットに基づいて、該基地局において送信波形への調整が行なわれる。
【図面の簡単な説明】
【０００７】
【図１】図１は、処理システムを使用する装置に関するハードウェア実装の一例を示す図である。
【図２】図２は、ネットワーク・アーキテクチャの一例を示す図である。
【図３】図３は、アクセス・ネットワークの一例を示す図である。
【図４】図４は、アクセス・ネットワークで使用するためのフレーム構造の一例を示す図である。
【図５】図５は、ＬＴＥにおけるＵＬのための例示的なフォーマットを示す図である。
【図６】図６は、ユーザおよび制御プレーンに関する無線プロトコル・アーキテクチャの一例を示す図である。
【図７】図７は、アクセス・ネットワークにおけるｅＮｏｄｅＢおよびＵＥの一例を示す図である。
【図８】図８は、マルチプルの送信機から複数の信号を受信するＵＥを例示する図である。
【図９】図９は、重なり合った複数のワイヤレス通信セルを例示する図である。
【図１０】図１０は、マルチプルの送信信号の間の複数の同期パラメータにおけるオフセットに関する報告および調整の方法を例示する表である。
【図１１】図１１は、ワイヤレス通信の方法の流れ図である。
【図１２】図１２は、ワイヤレス通信の方法の流れ図である。
【図１３】図１３は、例示的な装置の機能を示す概念的なブロック図である。
【図１４】図１４は、例示的な装置の機能を示す概念的なブロック図である。
【発明を実施するための形態】
【０００８】
添付図面に関連して以下に記載される詳細な説明は、様々な構成の説明として意図され、ここで説明される概念が実施されうる構成のみを表すことを意図したものではない。詳細な説明は、様々な概念の完全な理解をもたらすことを目的として特定の詳細を含む。しかしながら、これらの概念がこれら特定の詳細なしで実施されうることは、当業者にとって明らかであろう。いくつかの事例では、よく知られている構造およびコンポーネントは、このような概念を曖昧にすることを避けるために、ブロック図形式で示される。
【０００９】
電気通信システムのいくつかの態様が、ここで様々な装置および方法に関して提示される。これらの装置および方法は、以下の詳細な説明において説明され、（総称的に「要素（elements）」と呼ばれる）様々なブロック、モジュール、コンポーネント、回路、ステップ、プロセス、アルゴリズムなどによって添付図面中に例示される。これらの要素は、電子ハードウェア、コンピュータ・ソフトウェア、またはこれらの任意の組み合わせを使用して実装されることができる。このような要素が、ハードウェアとして実装されるかソフトウェアとして実装されるかは、システム全体に課せられた設計制約および特定のアプリケーションによって決まる。
【００１０】
例として、要素、または要素の任意の部分、または複数の要素の任意の組み合わせが、１つまたは複数のプロセッサを含む「処理システム」を用いて実装されることができる。プロセッサの例には、マイクロプロセッサ、マイクロコントローラ、デジタル信号プロセッサ（ＤＳＰ）、フィールド・プログラマブル・ゲート・アレイ（ＦＰＧＡ：field programmable gate arrays）、プログラマブル・ロジック・デバイス（ＰＬＤ）、ステート・マシン（state machines）、ゲート・ロジック（gated logic）、ディスクリート（discrete）・ハードウェア回路、およびこの開示の全体にわたって説明される様々な機能を実行するように構成された他の適切なハードウェアが含まれる。処理システムにおける１つまたは複数のプロセッサは、ソフトウェアを実行することができる。ソフトウェアは、ソフトウェア、ファームウェア、ミドルウェア、マイクロコード、ハードウェア記述言語、あるいはその他の方法で呼ばれるか否かにかかわらず、命令、命令セット、コード、コード・セグメント、プログラムコード、プログラム、サブプログラム、ソフトウェア・モジュール、アプリケーション、ソフトウェア・アプリケーション、ソフトウェア・パッケージ、ルーチン、サブルーチン、オブジェクト、実行ファイル（executables）、実行スレッド、プロシージャ、機能などを意味するように広く解釈されるべきである。ソフトウェアは、コンピュータ可読媒体上に存在することができる。コンピュータ可読媒体は、一例として、磁気記憶デバイス（例えば、ハードディスク、フロッピー（登録商標）ディスク、磁気ストリップ）、光ディスク（例えば、コンパクト・ディスク（ＣＤ）、デジタル多用的ディスク（ＤＶＤ））、スマートカード、フラッシュメモリ・デバイス（例えば、カード、スティック、キードライブ）、ランダムアクセスメモリ（ＲＡＭ）、読み出し専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブル・ディスク、キャリア波、伝送路、およびソフトウェアを記憶または伝送するためのその他任意の適切な媒体を含みうる。コンピュータ可読媒体は、処理システム内に存在するか、処理システムの外部に存在するか、あるいは処理システムを含む複数のエンティティにわたって分散されうる。コンピュータ可読媒体は、コンピュータプログラムプロダクトにおいて有形に実施されることができる。一例として、コンピュータプログラムプロダクトは、パッケージング・マテリアルにおけるコンピュータ可読媒体を含みうる。当業者は、システム全体に課せられた全体的な設計制約および特定のアプリケーションに応じて、この開示の全体にわたって示されて説明される機能をどのように実装するのが最善であるかを認識するであろう。
【００１１】
図１は、処理システム１１４を使用する装置１００に関するハードウェア実装の一例を示す概念図である。この例では、処理システム１１４は、バス１０２によって一般的に表されたバス・アーキテクチャを用いて実装されることができる。バス１０２は、処理システム１１４の具体的なアプリケーションおよび全体的な設計制約に応じて、任意の数の相互接続バスおよびブリッジを含むことができる。バス１０２は、プロセッサ１０４によって一般的に表わされた１つまた複数のプロセッサと、コンピュータ可読媒体１０６によって一般的に表わされたコンピュータ可読媒体とを含む様々な回路をつなぎ合わせる。バス１０２は、また、タイミングソース、周辺装置、電圧レギュレータ、およびパワー管理回路などの様々な他の回路をつなぐこともできるが、これらは当技術において周知であるので、これ以上は説明しない。バス・インタフェース１０８は、バス１０２とトランシーバ１１０との間のインタフェースを提供する。トランシーバ１１０は、伝送媒体上で様々な他の装置と通信するための手段を提供する。装置の性質に応じて、ユーザ・インタフェース１１２（例えば、キーパッド、ディスプレイ、スピーカ、マイクロホン、ジョイスティック）が、また、提供されうる。
【００１２】
プロセッサ１０４は、バス１０２を管理することと、コンピュータ可読媒体１０６上に記憶されたソフトウェアの実行を含む、全般的な処理とを担っている。ソフトウェアは、プロセッサ１０４によって実行されるときに、特定の装置に関して以下で説明される様々な機能を処理システム１１４に実行させる。コンピュータ可読媒体１０６は、また、ソフトウェアを実行するときにプロセッサ１０４によって操作されるデータを記憶するために使用されうる。
【００１３】
様々な装置を使用する電気通信システムの一例が、ここで、図２に示されるＬＴＥネットワーク・アーキテクチャを参照して示される。ＬＴＥネットワーク・アーキテクチャ２００は、コア・ネットワーク２０２およびアクセス・ネットワーク２０４を用いて示されている。この例では、コア・ネットワーク２０２は、アクセス・ネットワーク２０４にパケット交換サービスを提供するが、この開示の全体にわたって示される様々な概念は、回線交換サービスを提供するコア・ネットワークまで広げられうることを、当業者は容易に理解するであろう。
【００１４】
アクセス・ネットワーク２０４は、単一の装置２１２を用いて示されており、この装置２１２は、ＬＴＥアプリケーションでは一般的に発展型（evolved）ＮｏｄｅＢと呼ばれるが、当業者には、また、基地局、ベーストランシーバ局、無線基地局、無線トランシーバ、トランシーバ機能、基本サービスセット（ＢＳＳ）、拡張サービスセット（ＥＳＳ）、または他の何らかの適切な用語として呼ばれうる。ｅＮｏｄｅＢ ２１２は、モバイル装置２１４のために、コア・ネットワーク２０２へのアクセス・ポイントを提供する。モバイルの装置の例には、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他任意の類似機能のデバイスが含まれる。モバイル装置２１４は、ＬＴＥアプリケーションでは一般的にユーザ機器（ＵＥ）と呼ばれるが、当業者には、また、移動局、加入者局、モバイル・ユニット、加入者ユニット、ワイヤレス・ユニット、遠隔ユニット、モバイル・デバイス、ワイヤレス・デバイス、ワイヤレス通信デバイス、遠隔デバイス、モバイル加入者局、アクセス端末、モバイル端末、ワイヤレス端末、遠隔端末、ハンドセット、ユーザ・エージェント、モバイル・クライアント、クライアント、または他の何らかの適切な用語として呼ばれうる。
【００１５】
コア・ネットワーク２０２は、パケット・データ・ノード（ＰＤＮ）・ゲートウェイ２０８およびサービング・ゲートウェイ２１０を含むいくつかの装置を用いて示されている。ＰＤＮゲートウェイ２０８は、アクセス・ネットワーク２０４のために、パケットベースのネットワーク２０６への接続を提供する。この例では、パケットベースのネットワーク２０６は、インターネットであるが、この開示の全体にわたって示される概念は、インターネット・アプリケーションだけに限定されない。ＰＤＮゲートウェイ２０８の主な機能は、ネットワーク接続性をＵＥ ２１４に提供することである。複数のデータパケットは、ＵＥ ２１４がアクセス・ネットワーク２０４内を動き回る（roams）ときにローカル・モビリティ・アンカー（local mobility anchor）の働きをするサービング・ゲートウェイ２１０を通じて、ＰＤＮゲートウェイ２０８とＵＥ ２１４との間で運ばれる。
【００１６】
ＬＴＥネットワーク・アーキテクチャにおけるアクセス・ネットワークの一例が、ここで図３を参照して示される。この例では、アクセス・ネットワーク３００は、いくつかのセルラ領域（セル）３０２に分割される。ｅＮｏｄｅＢ ３０４が、セル３０２に割り当てられ、セル３０２内のすべてのＵＥ ３０６にコア・ネットワーク２０２（図２を参照）へのアクセス・ポイントを提供するように構成される。アクセス・ネットワーク３００のこの例では、集中型のコントローラは存在しないが、代替的な構成では集中型のコントローラが使用されうる。ｅＮｏｄｅＢ ３０４は、無線ベアラ制御、承認制御、モビリティ制御、スケジューリング、セキュリティ、およびコア・ネットワーク２０２におけるサービング・ゲートウェイ２１０（図２を参照）への接続を含む、すべての無線関連機能を担う。
【００１７】
アクセス・ネットワーク３００によって使用される変調および多元接続スキームは、展開されている特定の電気通信規格に応じて異なるものでありうる。ＬＴＥアプリケーションでは、周波数分割複信（ＦＤＤ）および時分割複信（ＴＤＤ）の両方をサポートするために、ＳＣ−ＦＤＭＡがＵＬ上で使用され、ＯＦＤＭがＤＬ上で使用される。ここで示される様々な概念が、ＬＴＥアプリケーションによく適していることを、当業者は、以下の詳細な説明から容易に理解するであろう。しかしながら、これらの概念は、他の変調および多元接続技術を使用する他の電気通信規格まで容易に拡張されうる。一例として、これらの概念は、ＥＶ−ＤＯ（Evolution-Data Optimized）またはウルトラ・モバイル・ブロードバンド（ＵＭＢ）まで拡張されうる。ＥＶ−ＤＯおよびＵＭＢは、ＣＤＭＡ２０００の規格ファミリーの一部として第３世代パートナシップ・プロジェクト２（３ＧＰＰ２）によって公表されたエア・インタフェース（air interface）規格群であり、移動局にブロードバンド・インターネット・アクセスを提供するためにＣＤＭＡを使用する。これらの概念は、また、広帯域ＣＤＭＡ（Ｗ−ＣＤＭＡ）およびＴＤ−ＳＣＤＭＡのようなＣＤＭＡの他の変形を使用するユニバーサル地上無線アクセス（ＵＴＲＡ）、ＴＤＭＡを使用するグローバルシステム・フォー・モバイルコミュニケーションズ（ＧＳＭ）（登録商標）、ならびにＯＦＤＭＡを使用するフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、ウルトラ・モバイル・ブロードバンド（ＵＭＢ）、発展型ＵＴＲＡ（Ｅ−ＵＴＲＡ）まで拡張されうる。ＵＴＲＡ、Ｅ−ＵＴＲＡ、ＵＭＴＳ、ＬＴＥおよびＧＳＭは、３ＧＰＰ団体からの文書の中で説明されている。ＣＤＭＡ２０００およびＵＭＢは、３ＧＰＰ２団体からの文書の中で説明されている。使用される実際のワイヤレス通信規格および多元接続技術は、システムに課せられる全体的な設計制約および特定のアプリケーションによって決まることになろう。
【００１８】
ｅＮｏｄｅＢ ３０４は、ＭＩＭＯ技術をサポートするマルチプルのアンテナを有することができる。ＭＩＭＯ技術の使用によって、ｅＮｏｄｅＢ ３０４は、空間多重化、ビームフォーミング、および送信ダイバーシチをサポートするために空間領域を活用することが可能になる。
【００１９】
空間多重化は、同じ周波数上で同時にデータの複数の異なるストリームを送信するために使用されうる。複数のデータストリームは、データレートを増大させるために単一のＵＥ ３０６へ送信されることができ、またはシステム全体の容量を増大させるためにマルチプルのＵＥ ３０６へ送信されることができる。これは、各データストリームを空間的にプリコーディング（precoding）し、次に空間的にプリコーディングされた各ストリームをダウンリンク上で異なる送信アンテナを通じて送信することによって達成される。空間的にプリコーディングされた複数のデータストリームは、異なる空間シグネチャ（spatial signature）と共に（１つまたは複数の）ＵＥ ３０６に到着し、それによって、（１つまたは複数の）ＵＥ ３０６の各々は、そのＵＥ ３０６に宛先を指定された１つまたは複数のデータストリームを回復することが可能になる。アップリンク上では、各ＵＥ ３０６は、空間的にプリコーディングされたデータストリームを送信し、それによって、ｅＮｏｄｅＢ ３０４は、空間的にプリコーディングされた各データストリームのソースを識別することが可能になる。
【００２０】
空間多重化は、一般にチャネル状態が良いときに使用される。チャネル状態があまり好ましくないときには、ビームフォーミングが、１つまたは複数の方向に送信エネルギーを集中させるために使用されることができる。これは、マルチプルのアンテナを通じての送信のために、データを空間的にプリコーディングすることによって達成されうる。セルのエッジのところで良いカバレッジを達成するために、単一ストリームのビームフォーミング送信が、送信ダイバーシチと組み合わせて使用されうる。
【００２１】
以下の詳細な説明では、アクセス・ネットワークの様々な態様が、ダウンリンク上でＯＦＤＭをサポートするＭＩＭＯシステムに関して説明される。ＯＦＤＭは、ＯＦＤＭシンボル内でいくつかのサブキャリアにわたってデータを変調するスペクトル拡散技術である。これらのサブキャリアは、精密な周波数間隔で隔てられている。この間隔をあけることは、受信機が複数のサブキャリアからのデータを回復することを可能にする「直交性（orthogonality）」を提供する。時間領域では、ガードインターバル（例えば、サイクリック・プリフィックス（cyclic prefix））が、ＯＦＤＭシンボル間干渉（inter-OFDM-symbol）に対処するために各ＯＦＤＭシンボルに追加されることができる。アップリンクは、高いピーク電力対平均電力比（ＰＡＲＲ：peak-to-average power ratio）を補償するために、ＤＦＴ拡散ＯＦＤＭ信号の形でＳＣ−ＦＤＭＡを使用することができる。
【００２２】
様々なフレーム構造が、ＤＬおよびＵＬの送信をサポートするために使用されることができる。ＤＬフレーム構造の一例が、ここで図４を参照して示される。しかしながら、任意の特定のアプリケーションのためのフレーム構造は、任意の数の因子に応じて異なりうることを、当業者は容易に理解するであろう。この例では、フレーム（１０ｍｓ）は、１０個の等しいサイズのサブフレームに分割される。各サブフレームは、２つの連続したタイムスロットを含む。
【００２３】
リソース・グリッド（resource grid）が、２つのタイムスロットを表わすために使用されることができ、２つのタイムスロットの各々はリソース・ブロックを含んでいる。リソース・グリッドは、マルチプルのリソース要素に分割される。ＬＴＥでは、リソース・ブロックは、周波数領域内に１２個の連続したサブキャリアを含み、各ＯＦＤＭシンボル内の通常のサイクリック・プリフィックスについては、時間領域内に７個の連続したＯＦＤＭシンボルを含み、または８４個のリソース要素を含む。Ｒ０およびＲ１として示されるような、リソース要素のうちのいくつかは、ＤＬリファレンス信号（ＤＬ−ＲＳ）を含む。ＤＬ−ＲＳは、セル固有のＲＳ（ＣＲＳ）（ときに共通ＲＳとも呼ばれる）、およびＵＥ固有のＲＳ（ＵＥ−ＲＳ）を含む。ＵＥ−ＲＳは、対応する物理ダウンリンク共有チャネル（ＰＤＳＣＨ）がその上にマップされるリソース・ブロック上でのみ送信される。各リソース要素によって搬送されるビット数は、変調スキームによって決まる。したがって、ＵＥが受信するリソース・ブロックが多く、変調スキームが高いほど、ＵＥのためのデータレートがより高くなる。
【００２４】
ＵＬフレーム構造の一例が、ここで図５を参照して示される。図５は、ＬＴＥにおけるＵＬのための例示的なフォーマットを示す。ＵＬのための利用可能な複数のリソース・ブロックは、データ・セクションおよび制御セクションに区分されうる。制御セクションは、システム帯域幅の２つのエッジのところに形成されることができ、設定可能な（configurable）サイズを有することができる。制御セクション内の複数のリソース・ブロックは、制御情報の送信のために複数のＵＥに割り当てられることができる。データ・セクションは、制御セクションに含まれないすべてのリソース・ブロックを含みうる。図５における設計は、隣接する複数のサブキャリアを含むデータ・セクションをもたらし、これは、単一のＵＥが、データ・セクションにおいてすべての隣接するサブキャリアを割り当てられることを可能にすることができる。
【００２５】
ＵＥは、ｅＮｏｄｅＢへ制御情報を送信するために、制御セクションにおいてリソース・ブロック５１０ａ、５１０ｂを割り当てられることができる。ＵＥは、また、ｅＮｏｄｅＢへデータを送信するために、データ・セクションにおいてリソース・ブロック５２０ａ、５２０ｂを割り当てられることができる。ＵＥは、制御セクション内の割り当てられた複数のリソース・ブロック上で、物理アップリンク制御チャネル（ＰＵＣＣＨ）において制御情報を送信することができる。ＵＥは、データ・セクション内の割り当てられた複数のリソース・ブロック上で、物理アップリンク共有チャネル（ＰＵＳＣＨ）において、データのみを、またはデータと制御情報との両方を送信することができる。ＵＬ送信は、図５に示されるように、サブフレームの両方のスロットにまたがることができ、周波数をまたいでホップ（hop）することができる。
【００２６】
図５に示されるように、複数のリソース・ブロックのセットは、初期システム・アクセスを実行し、物理ランダム・アクセス・チャネル（ＰＲＡＣＨ）においてＵＬ同期を達成するために使用されることができる。ＰＲＡＣＨは、ランダム系列を搬送し、ＵＬデータ／シグナリングは搬送することができない。各ラングム・アクセス・プリアンブルは、６個の連続したリソース・ブロックに対応する帯域幅を占有する。開始周波数は、ネットワークによって指定される。すなわち、ランダム・アクセス・プリアンブルの送信は、ある特定の時間および周波数リソースだけに限られる。ＰＲＡＣＨについては、周波数ホッピングは存在しない。ＰＲＡＣＨ試行（attempt）は、単一のサブフレーム（１ｍｓ）において搬送され、ＵＥは、フレーム（１０ｍｓ）毎に単一のＰＲＡＣＨ試行のみを行うことができる。
【００２７】
ＬＴＥにおけるＰＵＣＣＨ、ＰＵＳＣＨ、およびＰＲＡＣＨは、「発展型ユニバーサル地上無線アクセス（Ｅ−ＵＴＲＡ）；物理チャネルおよび変調（Evolved Universal Terrestrial Radio Access (E-UTRA); Physical Channels and Modulation）」と題された、３ＧＰＰ ＴＳ ３６．２１１において説明されており、これは公的に利用可能である。
【００２８】
無線プロトコル・アーキテクチャは、特定のアプリケーションに応じて、様々な形態をとることができる。ＬＴＥシステムについての一例が、ここで図６を参照して示される。図６は、ユーザ・プレーンおよび制御プレーンに関する無線プロトコル・アーキテクチャの一例を示す概念図である。
【００２９】
図６を参照すると、ＵＥおよびｅＮｏｄｅＢに関する無線プロトコル・アーキテクチャは、３つのレイヤ：レイヤ１、レイヤ２、およびレイヤ３、を用いて示されている。レイヤ１は、最下位のレイヤであり、様々な物理レイヤ信号処理機能を実装する。レイヤ１は、ここでは物理レイヤ６０６と呼ばれる。レイヤ２（Ｌ２レイヤ）６０８は、物理レイヤ６０６よりも上にあり、物理レイヤ６０６の上でのＵＥとｅＮｏｄｅＢとの間のリンクを担う。
【００３０】
ユーザ・プレーンでは、Ｌ２レイヤ６０８は、媒体アクセス制御（ＭＡＣ）サブレイヤ６１０、無線リンク制御（ＲＬＣ）サブレイヤ６１２、およびパケット・データ・コンバージェンス・プロトコル（ＰＤＣＰ）６１４サブレイヤを含み、これらは、ネットワーク側でｅＮｏｄｅＢのところで終わる。図示されていないが、ＵＥは、ネットワーク側でＰＤＮゲートウェイ２０８（図２を参照）のところで終わるネットワーク・レイヤ（例えば、ＩＰレイヤ）と、接続の他端（例えば、遠端ＵＥ（far end UE）、サーバなど）のところで終わるアプリケーション・レイヤとを含む、Ｌ２レイヤ６０８より上のいくつかの上位レイヤを有することができる。
【００３１】
ＰＤＣＰサブレイヤ６１４は、異なる複数の無線ベアラと複数の論理チャネルとの間の多重化を提供する。ＰＤＣＰサブレイヤ６１４は、また、無線伝送オーバヘッドを低減させるために上位レイヤ・データパケットに関するヘッダ圧縮と、データパケットを暗号化することによるセキュリティと、ｅＮｏｄｅＢ間のＵＥのためのハンドオーバ・サポートとを提供する。ＲＬＣサブレイヤ６１２は、上位レイヤ・データパケットのセグメント化および再組立てと、失われたデータパケットの再送信と、ハイブリッド自動再送要求（ＨＡＲＱ）により順序が狂った（out-of-order）受信を補償するための並べ換え（reordering）とを提供する。ＭＡＣサブレイヤ６１０は、論理チャネルとトランスポート・チャネルとの間の多重化を提供する。ＭＡＣサブレイヤ６１０は、また、複数のＵＥの間で、１つのセルにおける様々な無線リソース（例えば、リソース・ブロック）を割り当てることを担う。ＭＡＣサブレイヤ６１０は、また、ＨＡＲＱオペレーションを担う。
【００３２】
制御プレーンでは、ＵＥおよびｅＮｏｄｅＢのための無線プロトコル・アーキテクチャは、制御プレーンについてはヘッダ圧縮機能がないということを除いて、物理レイヤ６０６およびＬ２レイヤ６０８に関して実質的に同じである。制御プレーンは、また、レイヤ３内に無線リソース制御（ＲＲＣ）サブレイヤ６１６を含む。ＲＲＣサブレイヤ６１６は、無線リソース（すなわち、無線ベアラ）を得ることと、ｅＮｏｄｅＢとＵＥとの間でＲＲＣシグナリングを使用して下位レイヤを構成することとを担う。
【００３３】
図７は、アクセス・ネットワークにおいてＵＥ ７５０と通信状態にあるｅＮｏｄｅＢ ７１０のブロック図である。ＤＬでは、コア・ネットワークからの上位レイヤ・パケットは、コントローラ／プロセッサ７７５に提供される。コントローラ／プロセッサ７７５は、図６に関して前に説明されたＬ２レイヤの機能を実装する。ＤＬでは、コントローラ／プロセッサ７７５は、ヘッダの圧縮、暗号化、パケットのセグメント化および並べ換え、論理チャネルとトランスポート・チャネルとの間の多重化、ならびに様々な優先度メトリクス（metrics）に基づくＵＥ ７５０への無線リソースの割り当てを提供する。コントローラ／プロセッサ７７５は、また、ＨＡＲＱオペレーション、失われたパケットの再送信、およびＵＥ ７５０へのシグナリングを担う。
【００３４】
ＴＸプロセッサ７１６は、Ｌ１レイヤ（すなわち、物理レイヤ）のための様々な信号処理機能を実装する。この信号処理機能は、ＵＥ ７５０における前方誤り訂正（ＦＥＣ：forward error correction）を促進するための符号化およびインタリービング（interleaving）、ならびに様々な変調スキーム（例えば、２相位相変調（ＢＰＳＫ）、４相位相変調（ＱＰＳＫ）、Ｍ相位相変調（Ｍ−ＰＳＫ）、Ｍ直交振幅変調（Ｍ−ＱＡＭ））に基づく信号コンスタレーションへのマッピングを含む。その後、符号化および変調されたシンボルは、複数の並列ストリームに分割される。その後、各ストリームは、ＯＦＤＭサブキャリアへマップされ、時間および／または周波数の領域においてリファレンス信号（例えば、パイロット）を用いて多重化され、次いで、時間領域のＯＦＤＭシンボルストリームを搬送する物理チャネルを生成するために、逆高速フーリエ変換（ＩＦＦＴ）を使用して組み合わされる。ＯＦＤＭストリームは、マルチプルの空間ストリームを生成するために、空間的にプリコーディングされる。チャネル推定器７７４からのチャネル推定値は、符号化および変調スキームを決定するためにも、また空間処理のためにも使用されうる。チャネル推定は、ＵＥ ７５０によって送信されるチャネル状態フィードバックおよび／またはリファレンス信号から導出されうる。各空間ストリームは、次いで、別個の送信機７１８ＴＸを介して異なるアンテナ７２０に提供される。各送信機７１８ＴＸは、送信のために、それぞれの空間ストリームを用いてＲＦキャリアを変調する。
【００３５】
ＵＥ ７５０において、各受信機７５４ＲＸは、そのそれぞれのアンテナ７５２を通じて信号を受信する。各受信機７５４ＲＸは、ＲＦキャリア上に変調された情報を回復して、受信機（ＲＸ）プロセッサ７５６へこの情報を提供する。
【００３６】
ＲＸプロセッサ７５６は、Ｌ１レイヤの様々な信号処理機能を実装する。ＲＸプロセッサ７５６は、ＵＥ ７５０へ宛先指定された任意の空間ストリームを回復するために、情報に対して空間処理を実行する。マルチプルの空間ストリームがＵＥ ７５０へ宛先指定されている場合、それらは、ＲＸプロセッサ７５６によって単一のＯＦＤＭシンボルストリームへと組み合わされることができる。ＲＸプロセッサ７５６は、次いで、高速フーリエ変換（ＦＦＴ）を使用して、ＯＦＤＭシンボルストリームを時間領域から周波数領域に変換する。周波数領域の信号は、ＯＦＤＭ信号の各サブキャリアのために、個別のＯＦＤＭシンボルストリームを具備する。各サブキャリア上のシンボル、およびリファレンス信号は、ｅＮｏｄｅＢ ７１０によって送信された最も有望な信号コンスタレーション点を決定することによって復調および回復される。これらの軟判定は、チャネル推定器７５８によって計算されたチャネル推定値に基づきうる。その後、軟判定は、物理チャネル上でｅＮｏｄｅＢ ７１０によって当初送信されたデータおよび制御信号を回復するために、復号化およびデインタリーブ（deinterleaved）される。その後、データおよび制御信号は、コントローラ／プロセッサ７５９へ提供される。
【００３７】
コントローラ／プロセッサ７５９は、図５に関して前に説明されたＬ２レイヤを実装する。ＵＬでは、コントローラ／プロセッサ７５９は、コア・ネットワークからの上位レイヤ・パケットを回復するために、トランスポート・チャネルと論理チャネルとの間の逆多重化、パケットの再組立て、暗号の解読（deciphering）、ヘッダの復元、制御信号処理を提供する。その後、上位レイヤ・パケットは、データシンク７６２に提供され、それは、Ｌ２レイヤより上のすべてのプロトコル・レイヤを表わす。様々な制御信号は、また、Ｌ３処理のために、データシンク７６２へ提供されることができる。コントローラ／プロセッサ７５９は、また、ＨＡＲＱオペレーションをサポートするために、肯定応答（ＡＣＫ）および／または否定応答（ＮＡＣＫ）プロトコルを使用する誤り検出を担う。
【００３８】
ＵＬでは、データソース７６７は、コントローラ／プロセッサ７５９に上位レイヤ・パケットを提供するために使用される。データソース７６７は、Ｌ２レイヤ（Ｌ２）より上のすべてのプロトコル・レイヤを表わす。ｅＮｏｄｅＢ ７１０によるＤＬ送信に関して説明された機能と同様に、コントローラ／プロセッサ７５９は、ヘッダの圧縮、暗号化、パケットのセグメント化および並べ換え、ならびにｅＮｏｄｅＢ ７１０による無線リソースの割り当てに基づく論理チャネルとトランスポート・チャネルとの間の多重化を提供することによって、ユーザ・プレーンおよび制御プレーンについてＬ２レイヤを実装する。コントローラ／プロセッサ７５９は、また、ＨＡＲＱオペレーション、失われたパケットの再送信、およびｅＮｏｄｅＢ ７１０へのシグナリングを担う。
【００３９】
ｅＮｏｄｅＢ ７１０によって送信されたフィードバックまたはリファレンス信号からチャネル推定器７５８によって導出されたチャネル推定値は、ＴＸプロセッサ７６８によって、適切な符号化および変調のスキームを選択するため、ならびに空間処理を容易にするために使用されることができる。ＴＸプロセッサ７６８によって生成された複数の空間ストリームは、別個の送信機７５４ＴＸによって異なるアンテナ７５２へ提供される。各送信機７５４ＴＸは、送信のために、それぞれの空間のストリームを用いてＲＦキャリアを変調する。
【００４０】
ＵＬ送信は、ＵＥ ７５０における受信機機能に関して説明されたのと同様の方法でｅＮｏｄｅＢ ７１０において処理される。各受信機７１８ＲＸは、そのそれぞれのアンテナ７２０を通じて信号を受信する。各受信機７１８ＲＸは、ＲＦキャリア上に変調された情報を回復し、その情報をＲＸプロセッサ７７０に提供する。ＲＸプロセッサ７７０は、Ｌ１レイヤを実装する。
【００４１】
コントローラ／プロセッサ７５９は、図６に関して前に説明されたＬ２レイヤを実装する。ＵＬでは、コントローラ／プロセッサ７５９は、ＵＥ ７５０からの上位レイヤ・パケットを回復するために、トランスポート・チャネルと論理チャネルとの間の逆多重化、パケットの再組立て、暗号の解読、ヘッダの復元、制御信号処理を提供する。コントローラ／プロセッサ７７５からの上位レイヤ・パケットは、コア・ネットワークへ提供されることができる。コントローラ／プロセッサ７５９は、また、ＨＡＲＱオペレーションをサポートするために、肯定応答（ＡＣＫ）および／または否定応答（ＮＡＣＫ）プロトコルを使用する誤り検出を担う。
【００４２】
図１に関して説明された処理システム１１４は、ｅＮｏｄｅＢ ７１０を含みうる。具体的には、処理システム１１４は、ＴＸプロセッサ７１６、ＲＸプロセッサ７７０、およびコントローラ／プロセッサ７７５を含む。図１に関して説明された処理システム１１４は、ＵＥ ７５０を含みうる。具体的には、処理システム１００は、ＴＸプロセッサ７６８、ＲＸプロセッサ７５６、およびコントローラ／プロセッサ７５９を含む。
【００４３】
図８は、第１の送信機８０４および第２の送信機８０６から信号８０８、８１０を受信するＵＥ ８０２を例示している。第１および第２の送信機は、第１および第２のセルに対応することができる。第１および第２の送信機は、例えば、第１および第２の基地局であることができる。これらのセルは、共同で（jointly）ＵＥにパケットを送ることができる。ＵＥ ８０２によって受信される信号８０８および８１０は、時間および／または周波数において同期していないことがありうる。これは、第１および第２のセルからＵＥ ８０２への飛行時間（time-of-flight）の差に起因する、あるいは第１および第２のセルにおいて完全な同期がないことに起因するものでありうる。飛行時間の差は、第１および第２のセルに関して、ＵＥ ８０２において受信される信号間に遅延スプレッド（delay spread）を引き起こす。時間領域における遅延スプレッドは、周波数選択性の高いチャネル（highly frequency selective channel)を生成する。時間における遅延スプレッドは、周波数領域における位相ランプ（phase ramp)を生成する。図８では、２つの送信機のみが示されているが、ＵＥ ８０２は、任意の数の送信機から複数の信号を受信することができる。
【００４４】
周波数領域における周波数オフセットによって引き起こされる時間における位相ランプは、遅延スプレッド問題の逆である。時間における位相ランプは、周波数領域における周波数オフセットによって引き起こされうる。これは、高いドップラー・シフト（Doppler shift）チャネルと同様の、時間における非相関チャネル（decorrelating channel）を生成する。これは、数ミリ秒後に、共同のチャネル方向情報（ＣＤＩ：Channel Direction Information）フィードバックを役に立たないものにする。
【００４５】
時間領域または周波数領域のいずれかにおける複数のセルからの共同信号間のオフセットは、様々なアプリケーションの性能を低下させる。特に、これらのアプリケーションは、コヒーレント（coherent）共同処理、協調ビームフォーミング（cooperative beamforming)または非コヒーレント共同処理、協調サイレンシング（cooperative silencing）、中継、単一周波数ネットワーク上のマルチメディア・ブロードキャスト（ＭＢＳＦＮ）オペレーション、位置決め、サーチおよび測定、あるいはセル間干渉除去を含みうる。表１は、様々なアプリケーションに関する例示的な到着時間差（ＴＤＯＡ：time difference-of-arrival）および遅延スプレッドを示す。
【表１】
0005280582.tif 000002
【００４６】
図９は、第１のセル９０２および第２のセル９０４が、異なる規模の重なり合うセルでありうることを例示している。例えば、第１のセル９０２は、基地局９０６を有するマクロ・セルであることができ、また、第２のセル９０４は、送信機９０８を通じて送信するピコ・セルまたはフェムト・セルであることができる。第１および第２のセルは、また、重なり合う送信範囲を伴う、同程度のスケール（comparable scale）を有することができる。２つの重なり合うセルのみが示されているが、ＵＥは、任意の数のセルから複数の信号を受信することができる。図９は、また、各セルが複数のＵＥと通信できることを示している。これらのＵＥは、ＵＥ ９１０およびＵＥ ９１２に関して例示されているように、第１のセル９０２および第２のセル９０４から共同通信（joint communication）を受信することができる。第１および第２のセルは、また、ＵＥ ９１４およびＵＥ ９１６に関して例示されているように、ＵＥと排他的に通信することができる。
【００４７】
例えば、ＣｏＭＰ共同処理は、１つのＵＥに複数のパケットを共同で送るマルチプルのセルを伴う。図８−１０に関して説明されているように、遅延スプレッドは、マルチプルのセルからの複数の信号間の飛行時間の差、または複数のセル間に同期がないことが原因で生じうる。２つの信号間に同期がないことは、ＣｏＭＰ共同処理に関する信号性能を低下させる。
【００４８】
ビームフォーミングは、たとえ弱いワイヤレス・チャネルであっても、より多くのデータ量を配信（deliver）するために、最強のパイプ上に送信パワーを集中させることに関わる。ビームフォーミングは、信号が、送信機側においてある方向に集中され、受信機またはＵＥにおいてコヒーレントに受信されることを可能にする。ビームフォーミングは、プリコーディングと呼ばれるデジタル処理技術を通じて達成される。プリコーディングは、異なる複数のアンテナ上で異なる重みづけおよび位相シフティング（phase shifting）を用いてデータストリームを送ることに関わる。送信機は、受信機から受信されたチャネル情報フィードバックから得られる、チャネルについてのその知識に基づいて、プリコーディングを決定する。その後、受信機は、各々の受信アンテナからの各信号に重みづけおよび位相シフティングを適用する。これらの信号は、受信機においてコヒーレントに組み合わされ、すなわち、それらの信号は、時間および位相をアライメントされて組み合わされる。
【００４９】
マルチプルのセル間の遅延スプレッドおよび周波数領域における位相ランプは、ＵＥのところで受信される有効なビームが、送信機のところで送られる有効なビームとは異なるので、共同ビームフォーミングの性能を低下させる。したがって、スプレッドはビームを劣化させる。
【００５０】
干渉除去は、２つの受信された信号の間にミスアライメントが存在するときに、同様に低下する。周波数におけるミスアライメントは、干渉除去の複雑さを増大させ、また、性能を低下させうる。時間におけるミスアライメントは、ＵＥが干渉除去を実行する能力を低下させる。
【００５１】
図８および図９に関して上述したように、ＵＥは、複数のセルから信号を受信することができる。ＴＤＯＡの影響に対処するために、ＵＥは、異なる複数のセル間の複数の同期パラメータを測定し、該複数の同期パラメータに関する情報と共に、複数のセルのうちの少なくとも１つに信号を送信することができる。これに応じて、セルは、それ自体と少なくとも１つの他のセルとの間の受信された同期パラメータにおけるオフセットを決定することができる。その後、セルは、決定されたオフセットに基づいて、送信波形を調整することができる。
【００５２】
図１０は、同期パラメータを報告するための、および同期パラメータに基づいて送信波形を調整するための、例示的な実装を例示している。同期パラメータ１００２は、時間１００８および周波数１０１０を含みうる。
【００５３】
時間ベースの同期パラメータ１００８については、ＵＥは、複数のセルまたは基地局に関してＴＤＯＡオフセットを測定することができる。ＵＥは、複数のセルのうちの少なくとも１つにＴＤＯＡオフセットを報告する信号を送信する（１０１２）。少なくとも１つのセルは、報告されたＴＤＯＡオフセットに基づいて、送信波形を調整することができる。例えば、少なくとも１つのセルは、ＵＥにおけるＴＤＯＡオフセットを低減させるために、送信時間を調整することによって、送信波形を調整することができる（１０１４）。これは、このセルによってマルチプルのＵＥがサービスされるときには、実現可能性が低くなる。ＴＤＯＡの影響を低減させるための別の方法は、ＴＤＯＡに起因してＵＥのところで生じる位相ランプを補償するために、セルにおいて位相ランプを適用することである（１０１６）。これは、専用リファレンス信号を用いると達成が容易となりえる、なぜなら、位相ランプは、ＵＥにとってトランスペアレント（transparent）であるからである。
【００５４】
周波数領域において位相ランプを適用することは、タイミングを調整することと同様の結果をもたらす。例えば、ミスアライメントが、サイクリック・プリフィックス（ＣＰ）のスペース（space）内にある場合、１０１６でのように、位相ランプが適用されうる。ミスアライメントが、シンボル長を越えて続く場合、１０１４でのように、送信時間を調整することが好ましくありうる。
【００５５】
ＵＥから送信されるＴＤＯＡ報告は、プリコーディングマトリクスインジケータ（ＰＭＩ）がそれにわたって報告される帯域幅に比例する精度で量子化されることができる。したがって、１０ＭＨｚにわたる広帯域チャネル方向情報（ＣＤＩ）が使用される場合、副帯域ＣＤＩが使用されるときよりも、より粗い細度（coarse granularity）がＴＤＯＡ報告のために使用されることができる。ＰＭＩ報告が、１０ＭＨｚのような、大きな帯域幅にわたって報告されている場合、タイミングの精度が低減されうる。この設定は、ｅＮＢによって構成されることができる。この設定は、また、ＵＥにおいて構成されることもできる。これは、ＴＤＯＡフィードバック報告に必要とされるビット数とＣＤＩ精度との間のトレードオフを可能にする。
【００５６】
周波数ベースの同期パラメータ１０１０については、ＵＥは、複数のセルから受信された複数の信号間の周波数オフセットを測定することができる。その後、ＵＥは、複数のセルのうちの少なくとも１つに測定されたオフセットに関する情報を報告する。周波数オフセットの影響を低減させるために、複数のセルのうちの１つは、ＵＥにおいて経験される周波数オフセットを低減するように送信波形を調整することができる（１０２０）。例えば、この情報は、ＣＤＩが、それが報告されるポイントからそれが使用されるポイントまでにどのように変化するのかを推定するために使用されることができる。共同処理またはマルチセル・ビームフォーミングが使用されているときには、ＵＥから報告される周波数オフセット情報は、他のセルに対する１つのセルの送信位相の変化によって引き起こされるビーム方向の変化に関する情報を提供する。周波数オフセットは、ＵＥのところで受信される複数の信号をミスアライメントさせる。複数のセルのうちの少なくとも１つは、マルチプルのセルから受信される複数の信号がＵＥのところで受信されるときにアライメントされるように、そのビーム方向を修正するために、報告された周波数オフセットを使用することができる。
【００５７】
あるいは、ＵＥは、決定された周波数オフセットを使用して、データが送信されるであろうポイントにおける予想される／当初のＣＤＩを推定し、推定されたＣＤＩを報告することができる（１０２２）。
【００５８】
複数の同期パラメータのうちの１つまたは複数が、同時にＵＥから報告されることができる。報告に基づいて、送信波形が、セルについて基地局において調整されることができる。前述したように、伝播遅延は、時間オフセットを低減させるように調整されることができ、および／または、発振器周波数は、周波数オフセットを低減させるように調整されることができる。
【００５９】
同期パラメータは、周期的ベース（periodic basis）で、またはトリガに基づいて、ＵＥによって報告されることができる。周期的ベースについては、ＵＥは、設定された時間量が経過するたびに同期パラメータを報告することができる。同期パラメータは、例えば、１００ｍｓ毎に報告されることができる。あるいは、報告は、ＵＥが、同期がないことを検出するときに、および／または、ＵＥが、所定の閾値を超える同期パラメータの変化を検出するときにトリガされることもできる。この場合、ＵＥは、複数のセル間の複数の同期パラメータを測定し、それらのセル間の測定された同期パラメータにおけるオフセットを決定する。ＵＥが、オフセットが存在すること、またはオフセットが閾値よりも高いことを決定したときには、ＵＥは、複数のセルのうちの少なくとも１つに同期パラメータを報告する。
【００６０】
同期パラメータの報告は、図６に関して例示されたように、Ｌ３シグナリングまたはＬ１シグナリングを通じて送信されることができる。報告が、Ｌ１シグナリングを通じて達成されるときには、同期パラメータに関する情報は、物理アップリンク制御チャネル（ＰＵＣＣＨ）、物理アップリンク共有チャネル（ＰＵＳＣＨ）、または新しいアップリンク・チャネルを通じて報告されることができる。ＰＵＣＣＨおよびＰＵＳＣＨは、図５に関して説明されたように、通常、制御情報を含む。報告は、また、チャネル品質インジケータ／プリコーディングマトリクスインジケータ（ＣＱＩ／ＰＭＩ）を用いて、または他の制御情報を用いて、同期パラメータに関する情報を共同で符号化することにより達成されることができる。
【００６１】
図９に例示されたように、マルチプルのＵＥは、複数のセルの各々から信号を受信することができる。図９では、ＵＥ ９１０およびＵＥ ９１２の両方が、第１のセル９０２および第２のセル９０４から信号を受信する。したがって、各セルは、複数のＵＥから複数の同期パラメータを備えた報告を受信することができる。その後、セルは、複数のＵＥから受信された複数の同期パラメータにおける平均オフセットを決定し、決定された平均オフセットに基づいて送信波形を調整することができる。例えば、ＵＥ ９１０は、８μｓのＴＤＯＡオフセットを報告することができ、また、ＵＥ ９１２は、９μｓのＴＤＯＡオフセットを報告することができる。その後、セルは、オフセットがマルチプのＵＥの各々に関して低減されるように、８．５μｓの平均オフセットに対応して送信波形を調整することができる。
【００６２】
諸態様は、アップリンクを通じた信号の受信を改善することをさらに含むことができる。例えば、ＵＥ ９１２は、第１のセルによって制御されて、時間および周波数において第１のセル９０２をトラッキング（tracking）することができる。ときには、ＵＥ ９１２からのデータを受信して復号化することが、第２のセル９０４にとって有益でありうる。例えば、第２のセル９０４は、ＵＥ ９１２からより強いアップリンク信号を受信することができる。第１のセル９０２および第２のセル９０４によって、ＵＥ ９１２から受信された複数の信号については、ＴＤＯＡ差および周波数オフセットが生じうるので、周波数オフセットおよび／または時間オフセットの認識は、第２のセル９０４がＵＥ ９１２からのアップリンク信号をより良く復号化することを可能にする。これは、第２のセルが、アップリンク信号をＵＥ ９１２が送信している時間および周波数を決定することを可能にする。第２のセルは、多くの方法で同期パラメータを受信することができる。特に、第２のセル９０４は、ＵＥ ９１２のサウンディング・リファレンス信号（ＳＲＳ：Sounding Reference Signal）を通知されることができ、第２のセル９０４は、直接ＵＥ ９１２から同期パラメータに関する情報を備えた報告を受信することができ、および／または、第２のセル９０４は、第１のセルがＵＥ ９１２から報告を受信した後に、第１のセル９０２から同期パラメータに関する報告を受信することができる。受信された同期パラメータを使用して、第２のセル９０４は、ＵＥ ９１２から送信された信号を推定するために、ＵＥ ９１２から受信された信号および受信された同期パラメータを使用することができる。
【００６３】
図１１は、ワイヤレス通信の方法の流れ図１１００である。この方法は、複数の基地局から複数の信号を受信する（１１０２）。加えて、この方法は、複数の基地局の間の少なくとも１つの同期パラメータを測定する（１１０４）。さらに、この方法は、少なくとも１つの同期パラメータに関する情報と共に、複数の基地局のうちの少なくとも１つに信号を送信する（１１０６）。
【００６４】
同期パラメータは、複数の基地局の間の到着の時間差および周波数オフセットを含むことができる。この方法は、複数の基地局間の測定された同期パラメータにおけるオフセットと、決定されたオフセットが閾値よりも高いか否かを決定するモジュールとをさらに決定することができる。同期パラメータに関する情報を備えた信号は、決定されたオフセットが閾値よりも高い場合にのみ、複数の基地局のうちの少なくとも１つへ送信される。
【００６５】
複数の基地局は、サービング基地局および隣接基地局を含むことができ、また、複数の基地局のうちの少なくとも１つに信号を送信することは、同期パラメータに関する情報と共に、サービング基地局に信号を送信することを含むことができる。
【００６６】
他方では、複数の基地局は、サービング基地局および隣接基地局を含むことができ、複数の基地局のうちの少なくとも１つに信号を送信することは、同期パラメータに関する情報と共に、隣接基地局に信号を送信することを含むことができる。
【００６７】
同期パラメータは、複数の基地局間の周波数オフセットを含むことができ、また、この方法は、さらに、ユーザ機器において、複数の基地局のうちの１つがそこから信号を送信する時間インスタンスにおいて信号を推定し、推定された信号を報告することができる。
【００６８】
この方法は、複数の基地局のうちの少なくとも１つから調整された信号をさらに受信することができる。調整された信号は、ユーザ機器において測定された複数の基地局間の少なくとも１つの同期パラメータにおけるオフセットを低減させるように調整されている。
【００６９】
図１２は、ワイヤレス通信の方法の流れ図１２００である。この方法は、基地局からユーザ機器に信号を送信する（１２０２）。加えて、この方法は、基地局と少なくとも１つの他の基地局との間の少なくとも１つの同期パラメータにおけるオフセットに関する情報と共に、ユーザ機器から信号を受信する（１２０４）。さらに、この方法は、基地局と少なくとも１つの他の基地局との間の受信された少なくとも１つの同期パラメータにおけるオフセットを決定する（１２０６）。加えて、この方法は、決定されたオフセットに基づいて、基地局において送信波形を調整する（１２０８）。
【００７０】
信号は、例えば、ブロードキャスト信号でありうる。この信号は、時間／周波数の同期、チャネル推定などに従来使用される、パイロット信号のようなリファレンス信号でありうる。特に、この信号は、共通リファレンス信号（ＣＲＳ）、ＬＴＥのリリース８におけるような一次同期信号／二次同期信号（ＰＳＳ／ＳＳＳ）、およびＬＴＥ−Ａからのチャネル信号情報リファレンス信号（ＣＳＩ−ＲＳ）のうちの１つを含むことができる。
【００７１】
この方法は、さらに、基地局から複数のユーザ機器に信号を送信し、基地局と少なくとも１つの他の基地局との間の少なくとも１つの同期パラメータに関する情報と共に、複数のユーザ機器の各々から信号を受信し、複数のユーザ機器から受信された少なくとも１つの同期パラメータにおける平均オフセットを決定し、決定された平均オフセットに基づいて基地局において送信波形を調整することができる。
【００７２】
この方法は、さらに、決定されたオフセットが閾値よりも高いか否かを決定し、決定されたオフセットが閾値よりも高いときにのみ、基地局において送信波形を調整することができる。
【００７３】
少なくとも１つの同期パラメータは、周波数オフセットであることができ、また、決定されたオフセットに基づきうる基地局における送信波形への調整は、決定されたオフセットに基づいて基地局について送信周波数を調整することを含む。
【００７４】
少なくとも１つの同期パラメータは、ユーザ機器において測定される複数の基地局間の到着の時間差であることができ、また、決定されたオフセットに基づきうる基地局における送信波形への調整は、基地局について送信時間を調整すること、および基地局において位相ランプを適用すること、のうちの１つを含む。
【００７５】
少なくとも１つの同期パラメータは、複数の基地局間の到着の時間差および周波数オフセットの両方を含みうる。
【００７６】
図１３は、例示的な装置１００の機能を例示する概念的なブロック図１３００である。装置１００は、複数の基地局から複数の信号を受信するモジュール１３０２と、複数の基地局間の少なくとも１つの同期パラメータを測定するモジュール１３０４と、少なくとも１つの同期パラメータに関する情報と共に、複数の基地局のうちの少なくとも１つに信号を送信するモジュール１３０６とを含む。
【００７７】
図１４は、例示的な装置１００の機能を例示する概念的なブロック図１４００である。装置１００は、基地局からユーザ機器に信号を送信するモジュール１４０２と、基地局と少なくとも１つの他の基地局との間の少なくとも１つの同期パラメータに関する情報と共に、ユーザ機器から信号を受信するモジュール１４０４と、基地局と少なくとも１つの他の基地局との間の受信された少なくとも１つの同期パラメータにおけるオフセットを決定するモジュール１４０６と、決定されたオフセットに基づいて、基地局において送信波形を調整するモジュール１４０８とを含む。
【００７８】
図１および図７を参照すると、１つの構成では、ワイヤレス通信のための装置１００は、基地局７１０であり、基地局からユーザ機器に信号を送信するための手段と、基地局と少なくとも１つの他の基地局との間の少なくとも１つの同期パラメータに関する情報と共にユーザ機器から信号を受信するための手段と、基地局と少なくとも１つの他の基地局との間の受信された少なくとも１つの同期パラメータにおけるオフセットを決定するための手段と、決定されたオフセットに基づいて基地局において送信波形を調整するための手段とを含む。１つの構成では、装置１００は、基地局から複数のユーザ機器に信号を送信するための手段と、基地局と少なくとも１つの他の基地局との間の少なくとも１つの同期パラメータに関する情報と共に複数のユーザ機器の各々から信号を受信するための手段と、複数のユーザ機器から受信された少なくとも１つの同期パラメータにおける平均オフセットを決定するための手段と、決定された平均オフセットに基づいて基地局において送信波形を調整するための手段とをさらに含む。１つの構成では、装置１００は、決定されたオフセットが閾値よりも高いか否かを決定するための手段と、決定されたオフセットが閾値よりも高いときにのみ、基地局において送信波形を調整するための手段とをさらに含む。１つの構成では、装置１００における決定されたオフセットに基づいて基地局において送信波形を調整するための手段は、基地局について送信時間を調整するための手段および基地局において位相ランプを適用するための手段のうちの１つを含む。前述の手段は、前述の手段によって述べられた複数の機能を実行するように構成された処理システム１１４である。前述のように、処理システム１１４は、ＴＸプロセッサ７１６、ＲＸプロセッサ７７０、およびコントローラ／プロセッサ７７５を含む。したがって、１つの構成では、前述の手段は、前述の手段によって述べられた複数の機能を実行するように構成された、ＴＸプロセッサ７１６、ＲＸプロセッサ７７０、およびコントローラ／プロセッサ７７５でありうる。
【００７９】
１つの構成では、ワイヤレス通信のための装置１００は、ＵＥ ７５０であり、複数の基地局から複数の信号を受信するための手段と、複数の基地局間の少なくとも１つの同期パラメータを測定するための手段と、少なくとも１つの同期パラメータに関する情報と共に複数の基地局のうちの少なくとも１つに信号を送信するための手段とを含む。１つの構成では、装置１００は、複数の基地局間の測定された同期パラメータにおけるオフセットを決定するための手段と、決定されたオフセットが閾値よりも高いか否かを決定するための手段とをさらに含む。同期パラメータに関する情報を備えた信号は、決定されたオフセットが閾値よりも高い場合にのみ、複数の基地局のうちの少なくとも１つに送信される。１つの構成では、装置１００は、ユーザ機器において、複数の基地局のうちの１つが信号をそこから送信する時間インスタンスにおいて、その信号を推定するための手段と、推定された信号を報告するための手段とをさらに含む。１つの構成では、装置１００は、複数の基地局のうちの少なくとも１つから調整された信号を受信するための手段をさらに含む。調整された信号は、ユーザ機器において測定された複数の基地局間の少なくとも１つの同期パラメータにおけるオフセットを低減させるように調整されている。前述の手段は、前述の手段によって述べられた複数の機能を実行するように構成された処理システム１１４である。前述のように、処理システム１１４は、ＴＸプロセッサ７６８、ＲＸプロセッサ７５６、およびコントローラ／プロセッサ７５９を含む。したがって、１つの構成では、前述の手段は、前述の手段によって述べられた複数の機能を実行するように構成された、ＴＸプロセッサ７６８、ＲＸプロセッサ７５６、およびコントローラ／プロセッサ７５９でありうる。
【００８０】
開示された複数のプロセスにおける複数のステップの特定の順序または階層は、例示的な手法の例示であることが理解される。設計嗜好に基づいて、複数のプロセスにおける複数のステップの特定の順序または階層は、再構成されうることが理解される。添付の方法請求項は、様々なステップの要素を、例示的な順序で示し、示された特定の順序または階層に限定されるようには意図されていない。
【００８１】
以上の説明は、ここで説明された様々な態様を当業者が実施できるように提供される。これらの態様に対する様々な変形例は、当業者にとって容易に明らかになり、ここで定義された一般的な原理は、他の態様にも適用可能である。したがって、特許請求の範囲は、ここで示された諸態様だけに限定されず、請求項の文言と整合するすべての範囲が与えられるように意図され、ここで、単数形による要素への参照は、特に明記されていない限り、「１つおよびただ１つ」を意味するようには意図されず、むしろ「１つまたは複数」を意味するように意図されている。特に明記されていない限り、「いくつか」という用語は、１つまたは複数を指す。この開示の全体にわたって説明された、当業者によって知られている、あるいは知られるようになる様々な態様の要素と、構成的または機能的に同等であるすべての要素は、参照によってここに明確に組み込まれ、特許請求の範囲によって包含されるように意図されている。さらに、ここでの開示は、このような開示が特許請求の範囲内で述べられているか否かにかかわらず、公衆に放棄されるようには意図されていない。請求項の要素が、「〜するための手段」という語句を用いて明確に述べられているか、あるいは方法の請求項の場合において、「〜するためのステップ」という語句を用いて述べられていない限り、請求項の要素は、３５Ｕ．Ｓ．Ｃ．§１１２第６項による規定の下で解釈されるべきではない。
以下に本件出願当初の特許請求の範囲を付記する。
［Ｃ１］
下記を具備する、ワイヤレス通信の方法：
複数の基地局から複数の信号を受信すること；
前記複数の基地局間の少なくとも１つの同期パラメータを測定すること；および
前記少なくとも１つの同期パラメータに関する情報と共に、前記複数の基地局のうちの少なくとも１つに信号を送信すること。
［Ｃ２］
前記少なくとも１つの同期パラメータは、前記複数の基地局間の到着の時間差および周波数オフセットのうちの１つを含む、［Ｃ１］に記載の方法。
［Ｃ３］
前記少なくとも１つの同期パラメータは、前記複数の基地局間の到着の時間差および周波数オフセットの両方を含む、［Ｃ１］に記載の方法。
［Ｃ４］
下記をさらに具備する、［Ｃ１］に記載の方法：
前記複数の基地局間の前記少なくとも１つの測定された同期パラメータにおけるオフセットを決定すること；および
前記決定されたオフセットが閾値よりも高いか否かを決定すること、ここにおいて、前記同期パラメータに関する情報を備えた前記信号は、前記決定されたオフセットが前記閾値よりも高い場合にのみ、前記複数の基地局のうちの前記少なくとも１つに送信される。
［Ｃ５］
前記複数の基地局は、サービング基地局および隣接基地局を含み、ここにおいて、前記複数の基地局のうちの少なくとも１つへ前記信号を前記送信することは、前記同期パラメータに関する情報と共に、前記サービング基地局に前記信号を送信することを含む、［Ｃ１］に記載の方法。
［Ｃ６］
前記複数の基地局は、サービング基地局および隣接基地局を含み、ここにおいて、前記複数の基地局のうちの少なくとも１つに前記信号を前記送信することは、前記同期パラメータに関する情報と共に前記隣接基地局に前記信号を送信することを含む、［Ｃ１］に記載の方法。
［Ｃ７］
前記少なくとも１つの同期パラメータは、前記複数の基地局間の周波数オフセットを含み、前記方法はさらに下記を具備する、［Ｃ１］に記載の方法：
前記ユーザ機器において、前記複数の基地局のうちの１つが信号をそこから送信する時間インスタンスにおいて前記信号を推定すること；および
前記推定された信号を報告すること。
［Ｃ８］
さらに下記を具備する、［Ｃ１］に記載の方法：
前記複数の基地局のうちの少なくとも１つから調整された信号を受信すること、ここにおいて、前記調整された信号は、前記ユーザ機器において測定された前記複数の基地局間の前記少なくとも１つの同期パラメータにおけるオフセットを低減させるように調整されている。
［Ｃ９］
下記を具備する、ワイヤレス通信のための装置：
複数の基地局から複数の信号を受信するための手段；
前記複数の基地局間の少なくとも１つの同期パラメータを測定するための手段；および
前記少なくとも１つの同期パラメータに関する情報と共に、前記複数の基地局のうちの少なくとも１つに信号を送信するための手段。
［Ｃ１０］
前記少なくとも１つの同期パラメータは、前記複数の基地局間の到着の時間差および周波数オフセットのうちの１つを含む、［Ｃ９］に記載の装置。
［Ｃ１１］
前記少なくとも１つの同期パラメータは、前記複数の基地局間の到着の時間差および周波数オフセットの両方を含む、［Ｃ９］に記載の装置。
［Ｃ１２］
下記をさらに具備する、［Ｃ９］に記載の装置：
前記複数の基地局間の前記少なくとも１つの測定された同期パラメータにおけるオフセットを決定するための手段；および
前記決定されたオフセットが閾値よりも高いか否かを決定するための手段、ここにおいて、前記同期パラメータに関する情報を備えた前記信号は、前記決定されたオフセットが前記閾値よりも高い場合にのみ、前記複数の基地局のうちの前記少なくとも１つに送信される。
［Ｃ１３］
前記複数の基地局は、サービング基地局および隣接基地局を含み、ここにおいて、前記複数の基地局のうちの少なくとも１つに前記信号を送信するための前記手段は、前記同期パラメータに関する情報と共に、前記サービング基地局に前記信号を送信する、［Ｃ９］に記載の装置。
［Ｃ１４］
前記複数の基地局は、サービング基地局および隣接基地局を含み、ここにおいて、前記複数の基地局のうちの少なくとも１つに前記信号を送信するための前記手段は、前記同期パラメータに関する情報と共に、前記隣接基地局に前記信号を送信する、［Ｃ９］に記載の装置。
［Ｃ１５］
前記少なくとも１つの同期パラメータは、前記複数の基地局間の周波数オフセットを含み、前記装置はさらに下記を具備する、［Ｃ９］に記載の装置：
前記ユーザ機器において、前記複数の基地局のうちの１つが信号をそこから送信する時間インスタンスにおいて前記信号を推定するための手段；および
前記推定された信号を報告するための手段。
［Ｃ１６］
さらに下記を具備する、［Ｃ９］に記載の装置：
前記複数の基地局のうちの少なくとも１つから調整された信号を受信するための手段、ここにおいて、前記調整された信号は、前記ユーザ機器において測定された前記複数の基地局間の前記少なくとも１つの同期パラメータにおけるオフセットを低減させるように調整されている。
［Ｃ１７］
下記のためのコードを備えたコンピュータ可読媒体を具備する、コンピュータプログラムプロダクト：
複数の基地局から複数の信号を受信すること；
前記複数の基地局間の少なくとも１つの同期パラメータを測定すること；および
前記少なくとも１つの同期パラメータに関する情報と共に、前記複数の基地局のうちの少なくとも１つに信号を送信すること。
［Ｃ１８］
前記少なくとも１つの同期パラメータは、前記複数の基地局間の到着の時間差および周波数オフセットのうちの１つを含む、［Ｃ１７］に記載のコンピュータプログラムプロダクト。
［Ｃ１９］
前記少なくとも１つの同期パラメータは、前記複数の基地局間の到着の時間差および周波数オフセットの両方を含む、［Ｃ１７］に記載のコンピュータプログラムプロダクト。
［Ｃ２０］
前記コンピュータ可読媒体は、下記のためのコードをさらに具備する、［Ｃ１７］に記載のコンピュータプログラムプロダクト：
前記複数の基地局間の前記少なくとも１つの測定された同期パラメータにおけるオフセットを決定すること；および
前記決定されたオフセットが閾値よりも高いか否かを決定すること、ここにおいて、前記同期パラメータに関する情報を備えた前記信号は、前記決定されたオフセットが前記閾値よりも高い場合にのみ、前記複数の基地局のうちの前記少なくとも１つに送信される。
［Ｃ２１］
前記複数の基地局は、サービング基地局および隣接基地局を含み、ここにおいて、前記複数の基地局のうちの少なくとも１つに前記信号を送信するための前記コードは、前記同期パラメータに関する情報と共に、前記サービング基地局に前記信号を送信する、［Ｃ１７］に記載のコンピュータプログラムプロダクト。
［Ｃ２２］
前記複数の基地局は、サービング基地局および隣接基地局を含み、ここにおいて、前記複数の基地局のうちの少なくとも１つに前記信号を送信するための前記コードは、前記同期パラメータに関する情報と共に、前記隣接基地局に前記信号を送信する、［Ｃ１７］に記載のコンピュータプログラムプロダクト。
［Ｃ２３］
前記少なくとも１つの同期パラメータは、前記複数の基地局間の周波数オフセットを含み、前記コンピュータ可読媒体は、下記のためのコードをさらに具備する、［Ｃ１７］に記載のコンピュータプログラムプロダクト：
前記ユーザ機器において、前記複数の基地局のうちの１つが信号をそこから送信する時間インスタンスにおいて前記信号を推定すること；および
前記推定された信号を報告すること。
［Ｃ２４］
前記コンピュータ可読媒体は、下記のためのコードをさらに具備する、［Ｃ１７］に記載のコンピュータプログラムプロダクト：
前記複数の基地局のうちの少なくとも１つから調整された信号を受信すること、ここにおいて、前記調整された信号は、前記ユーザ機器において測定された前記複数の基地局間の前記少なくとも１つの同期パラメータにおけるオフセットを低減させるように調整されている。
［Ｃ２５］
下記を実行するように構成された処理システムを具備する、ワイヤレス通信のための装置：
複数の基地局から複数の信号を受信する；
前記複数の基地局間の少なくとも１つの同期パラメータを測定する；および
前記少なくとも１つの同期パラメータに関する情報と共に、前記複数の基地局のうちの少なくとも１つに信号を送信する。
［Ｃ２６］
前記少なくとも１つの同期パラメータは、前記複数の基地局間の到着の時間差および周波数オフセットのうちの１つを含む、［Ｃ２５］に記載の装置。
［Ｃ２７］
前記少なくとも１つの同期パラメータは、前記複数の基地局間の到着の時間差および周波数オフセットの両方を含む、［Ｃ２５］に記載の装置。
［Ｃ２８］
前記処理システムは、下記を実行するようにさらに構成される、［Ｃ２５］に記載の装置：
前記複数の基地局間の前記少なくとも１つの測定された同期パラメータにおけるオフセットを決定する；および
前記決定されたオフセットが閾値よりも高いか否かを決定する、ここにおいて、前記同期パラメータに関する情報を備えた前記信号は、前記決定されたオフセットが前記閾値よりも高い場合にのみ、前記複数の基地局のうちの前記少なくとも１つに送信される。
［Ｃ２９］
前記複数の基地局は、サービング基地局および隣接基地局を含み、ここにおいて、前記複数の基地局のうちの少なくとも１つに前記信号を送信するために、前記処理システムは、前記同期パラメータに関する情報と共に、前記サービング基地局に前記信号を送信するように構成される、［Ｃ２５］に記載の装置。
［Ｃ３０］
前記複数の基地局は、サービング基地局および隣接基地局を含み、ここにおいて、前記複数の基地局のうちの少なくとも１つに前記信号を送信するために、前記処理システムは、前記同期パラメータに関する情報と共に、前記隣接基地局に前記信号を送信するように構成される、［Ｃ２５］に記載の装置。
［Ｃ３１］
前記少なくとも１つの同期パラメータは、前記複数の基地局間の周波数オフセットを含み、前記処理システムは、前記ユーザ機器において、前記複数の基地局のうちの１つが信号をそこから送信する時間インスタンスにおいて前記信号を推定し、前記推定された信号を報告するようにさらに構成される、［Ｃ２５］に記載の装置。
［Ｃ３２］
前記処理システムは、前記複数の基地局のうちの少なくとも１つから調整された信号を受信するようにさらに構成され、ここにおいて、前記調整された信号は、前記ユーザ機器において測定された前記複数の基地局間の前記少なくとも１つの同期パラメータにおけるオフセットを低減させるように調整されている、［Ｃ２５］に記載の装置。
［Ｃ３３］
下記を具備する、ワイヤレス通信の方法：
基地局からユーザ機器に信号を送信すること；
前記基地局と少なくとも１つの他の基地局との間の少なくとも１つの同期パラメータにおけるオフセットに関する情報と共に、前記ユーザ機器から信号を受信すること；
前記基地局と前記少なくとも１つの他の基地局との間の前記受信された少なくとも１つの同期パラメータにおけるオフセットを決定すること；および
前記決定されたオフセットに基づいて前記基地局において送信波形を調整すること。
［Ｃ３４］
さらに下記を具備する、［Ｃ３３］に記載の方法：
前記基地局から複数のユーザ機器に信号を送信すること；
前記基地局と少なくとも１つの他の基地局との間の少なくとも１つの同期パラメータに関する情報と共に、前記複数のユーザ機器の各々から信号を受信すること；
前記複数のユーザ機器の各々から受信された前記少なくとも１つの同期パラメータにおける平均オフセットを決定すること；および
前記決定された平均オフセットに基づいて、前記基地局において前記送信波形を調整すること。
［Ｃ３５］
さらに下記を具備する、［Ｃ３３］に記載の方法：
前記決定されたオフセットが閾値よりも高いか否かを決定すること；および
前記決定されたオフセットが前記閾値よりも高いときにのみ、前記基地局において送信波形を調整すること。
［Ｃ３６］
前記少なくとも１つの同期パラメータは、周波数オフセットであり、ここにおいて、前記決定されたオフセットに基づいて前記基地局において前記送信波形を調整することは、前記決定されたオフセットに基づいて前記基地局について送信周波数を調整することを含む、［Ｃ３３］に記載の方法。
［Ｃ３７］
前記少なくとも１つの同期パラメータは、前記ユーザ機器において測定された前記複数の基地局間の到着の時間差であり、ここにおいて、前記決定されたオフセットに基づいて前記基地局において前記送信波形を調整することは、前記基地局について前記送信時間を調整することおよび前記基地局において位相ランプを適用することのうちの１つを含む、［Ｃ３３］に記載の方法。
［Ｃ３８］
前記少なくとも１つの同期パラメータは、前記複数の基地局間の到着の時間差および周波数オフセットの両方を含む、［Ｃ３３］に記載の方法。
［Ｃ３９］
下記を具備する、ワイヤレス通信のための装置：
基地局からユーザ機器に信号を送信するための手段；
前記基地局と少なくとも１つの他の基地局との間の少なくとも１つの同期パラメータにおけるオフセットに関する情報と共に、前記ユーザ機器から信号を受信するための手段；
前記基地局と前記少なくとも１つの他の基地局との間の前記受信された少なくとも１つの同期パラメータにおけるオフセットを決定するための手段；および
前記決定されたオフセットに基づいて前記基地局において送信波形を調整するための手段。
［Ｃ４０］
下記をさらに具備する、［Ｃ３９］に記載の装置：
前記基地局から複数のユーザ機器に信号を送信するための手段；
前記基地局と少なくとも１つの他の基地局との間の少なくとも１つの同期パラメータに関する情報と共に、前記複数のユーザ機器の各々から信号を受信するための手段；
前記複数のユーザ機器から受信された前記少なくとも１つの同期パラメータにおける平均オフセットを決定するための手段；および
前記決定された平均オフセットに基づいて前記基地局において前記送信波形を調整するための手段。
［Ｃ４１］
さらに下記を具備する、［Ｃ３９］に記載の装置：
前記決定されたオフセットが閾値よりも高いか否かを決定するための手段；および
前記決定されたオフセットが前記閾値よりも高いときにのみ、前記基地局において送信波形を調整するための手段。
［Ｃ４２］
前記少なくとも１つの同期パラメータは、周波数オフセットであり、ここにおいて、前記決定されたオフセットに基づいて前記基地局において前記送信波形を調整するための前記手段は、前記決定されたオフセットに基づいて前記基地局について送信周波数を調整する、［Ｃ３９］に記載の装置。
［Ｃ４３］
前記少なくとも１つの同期パラメータは、前記ユーザ機器において測定された前記複数の基地局間の到着の時間差であり、ここにおいて、前記決定されたオフセットに基づいて前記基地局において前記送信波形を調整するための前記手段は、前記基地局について前記送信時間を調整するための手段および前記基地局において位相ランプを適用するための手段のうちの１つを含む、［Ｃ３９］に記載の装置。
［Ｃ４４］
ここにおいて前記少なくとも１つの同期パラメータは、前記複数の基地局間の到着の時間差および周波数オフセットの両方を含む、［Ｃ３９］に記載の装置。
［Ｃ４５］
下記のためのコードを備えたコンピュータ可読媒体を具備する、コンピュータプログラムプロダクト：
基地局からユーザ機器に信号を送信すること；
前記基地局と少なくとも１つの他の基地局との間の少なくとも１つの同期パラメータにおけるオフセットに関する情報と共に、前記ユーザ機器から信号を受信すること；
前記基地局と前記少なくとも１つの他の基地局との間の前記受信された少なくとも１つの同期パラメータにおけるオフセットを決定すること；および
前記決定されたオフセットに基づいて前記基地局において送信波形を調整すること。
［Ｃ４６］
前記コンピュータ可読媒体は、下記のためのコードをさらに具備する、［Ｃ４５］に記載のコンピュータプログラムプロダクト：
前記基地局から複数のユーザ機器に信号を送信すること；
前記基地局と少なくとも１つの他の基地局との間の少なくとも１つの同期パラメータに関する情報と共に、前記複数のユーザ機器の各々から信号を受信すること；
前記複数のユーザ機器から受信された前記少なくとも１つの同期パラメータにおける平均オフセットを決定すること；および
前記決定された平均オフセットに基づいて前記基地局において前記送信波形を調整すること。
［Ｃ４７］
前記コンピュータ可読媒体は、下記のためのコードをさらに具備する、［Ｃ４５］に記載のコンピュータプログラムプロダクト：
前記決定されたオフセットが閾値よりも高いか否かを決定すること；および
前記決定されたオフセットが前記閾値よりも高いときにのみ、前記基地局において送信波形を調整すること。
［Ｃ４８］
前記少なくとも１つの同期パラメータは、周波数オフセットであり、ここにおいて、前記決定されたオフセットに基づいて前記基地局において前記送信波形を調整するための前記コードは、前記決定されたオフセットに基づいて前記基地局について送信周波数を調整する、［Ｃ４５］に記載のコンピュータプログラムプロダクト。
［Ｃ４９］
前記少なくとも１つの同期パラメータは、前記ユーザ機器において測定された前記複数の基地局間の到着の時間差であり、ここにおいて、前記決定されたオフセットに基づいて前記基地局において前記送信波形を調整するための前記コードは、前記基地局について前記送信時間を調整するためのコードおよび前記基地局において位相ランプを適用するためのコードのうちの１つを含む、［Ｃ４５］に記載のコンピュータプログラムプロダクト。
［Ｃ５０］
前記少なくとも１つの同期パラメータは、前記複数の基地局間の到着の時間差および周波数オフセットの両方を含む、［Ｃ４５］に記載のコンピュータプログラムプロダクト。
［Ｃ５１］
下記を実行するように構成された処理システムを具備する、ワイヤレス通信のための装置：
基地局からユーザ機器に信号を送信する；
前記基地局と少なくとも１つの他の基地局との間の少なくとも１つの同期パラメータにおけるオフセットに関する情報と共に、前記ユーザ機器から信号を受信する；
前記基地局と前記少なくとも１つの他の基地局との間の前記受信された少なくとも１つの同期パラメータにおけるオフセットを決定する；および
前記決定されたオフセットに基づいて前記基地局において送信波形を調整する。
［Ｃ５２］
前記処理システムは、下記を実行するようにさらに構成される、［Ｃ５１］に記載の装置：
前記基地局から複数のユーザ機器に信号を送信する；
前記基地局と少なくとも１つの他の基地局との間の少なくとも１つの同期パラメータに関する情報と共に、前記複数のユーザ機器の各々から信号を受信する；
前記複数のユーザ機器から受信された前記少なくとも１つの同期パラメータにおける平均オフセットを決定する；および
前記決定された平均オフセットに基づいて前記基地局において前記送信波形を調整する。
［Ｃ５３］
前記処理システムは、下記を実行するようにさらに構成される、［Ｃ５１］に記載の装置：
前記決定されたオフセットが閾値よりも高いか否かを決定する；および
前記決定されたオフセットが前記閾値よりも高いときにのみ、前記基地局において送信波形を調整する。
［Ｃ５４］
前記少なくとも１つの同期パラメータは、周波数オフセットであり、ここにおいて、前記決定されたオフセットに基づいて、前記基地局において前記送信波形を調整するために、前記処理システムは、前記決定されたオフセットに基づいて前記基地局について送信周波数を調整するように構成される、［Ｃ５１］に記載の装置。
［Ｃ５５］
前記少なくとも１つの同期パラメータは、前記ユーザ機器において測定された前記複数の基地局間の到着の時間差であり、ここにおいて、前記決定されたオフセットに基づいて前記基地局において前記送信波形を調整するために、前記処理システムは、前記基地局について前記送信時間を調整することおよび前記基地局において位相ランプを適用することのうちの１つを実行するように構成される、［Ｃ５１］に記載の装置。
［Ｃ５６］
前記少なくとも１つの同期パラメータは、前記複数の基地局間の到着の時間差および周波数オフセットの両方を含む、［Ｃ５１］に記載の装置。
【図１】
0005280582.tif 000003
【図２】
0005280582.tif 000004
【図３】
0005280582.tif 000005
【図４】
0005280582.tif 000006
【図５】
0005280582.tif 000007
【図６】
0005280582.tif 000008
【図７】
0005280582.tif 000009
【図８】
0005280582.tif 000010
【図９】
0005280582.tif 000011
【図１０】
0005280582.tif 000012
【図１１】
0005280582.tif 000013
【図１２】
0005280582.tif 000014
【図１３】
0005280582.tif 000015
【図１４】
0005280582.tif 000016